(57)【要約】  ユーザの便宜を提供するディジタルマルチメディアブロードキャスト（ＤＭＢ）システムにおける放送サービスを受信する装置及び方法に関する。このようなＤＭＢ受信装置は、基地局から伝送された無線周波数信号を受信する無線周波数（ＲＦ）受信部と、パイロット信号のエネルギー値を測定して初期同期を合せるモデム受信部と、エネルギー値を所定の基準値と比較して放送サービスチャンネル状況を導出する制御部と、制御部から導出された放送サービスチャンネル状況を表示する表示部とを含む。受信装置及び方法は、ＤＭＢシステムの移動端末が現在の電界状況を確認して不必要な動作を最小化することによって電力消費を節減できる。また、簡素な初期同期のみを使用して現在の電界状況をユーザに通知し、これによって、チャンネル状況が好ましくない環境できれいではない放送を見せられる不便さを最小化できる。
2008507232.tif 000002
【特許請求の範囲】
【請求項１】
スーパーフレームは、少なくとも２つのフレームで構成され、前記一つのフレームは、複数のサブフレームで構成され、前記一つのサブフレームは、パイロットシンボル区間とパイロットデータ区間とを有するように構成されたフレームをパイロット信号を通して伝送するディジタルマルチメディアブロードキャスト（ＤＭＢ）システムにおける移動端末が放送サービスを受信する方法であって、
前記パイロット信号を受信するステップと、
初期同期動作で、前記パイロット信号の測定されたエネルギー値を所定の基準値と比較して、放送サービスチャンネルの電界状況を導出するステップと、
前記移動端末の表示部に前記電界状況を示すステップと
を具備することを特徴とする方法。
【請求項２】
前記初期同期動作は、
前記受信されたパイロット信号からパイロットシンボルとパイロットデータとの同期を合せるステップと、
前記受信されたパイロット信号から前記サブフレームの同期を合せるステップと、
前記受信されたパイロット信号から前記スーパーフレームの同期を合せるステップと
を具備することを特徴とする請求項１記載の方法。
【請求項３】
前記パイロット信号のエネルギー値を比較するステップは、
前記パイロットシンボル区間で測定されたエネルギー値Ｅｐを所定の基準値と比較するステップと、
前記比較された値に基づいて放送サービスチャンネルの電界状況を導出するステップと
を具備することを特徴とする請求項２記載の方法。
【請求項４】
前記パイロット信号のエネルギー値を比較するステップは、
前記パイロットシンボル区間で測定されたエネルギー値Ｅｐを所定の基準値と比較するステップと、
前記サブフレームの同期を合せる間に測定された複数のエネルギー値のうち、最大エネルギー値Ｅｍａｘと二番目に大きいエネルギー値Ｅｓｅｃとの差の値を所定の基準値と比較するステップと、
前記比較された値に基づいて、放送サービスチャンネルの電界状況を導出するステップと
を具備することを特徴とする請求項２記載の方法。
【請求項５】
前記電界状況は、サービス不可能状態又は所定の基準値と比較した段階別に表されることを特徴とする請求項１記載の方法。
【請求項６】
前記所定の基準値は、前記移動端末の制御部に保存されることを特徴とする請求項１記載の方法。
【請求項７】
スーパーフレームは、少なくとも２つのフレームで構成され、前記一つのフレームは、複数のサブフレームで構成され、前記一つのサブフレームは、パイロットシンボル区間とパイロットデータ区間とを有するように構成されたフレームをパイロット信号を通して基地局が伝送するディジタルマルチメディアブロードキャスト（ＤＭＢ）システムにおける移動端末であって、
前記基地局から伝送された無線周波数信号を受信する無線周波数（ＲＦ）受信部と、
前記パイロット信号のエネルギー値を測定して初期同期を合せるモデム受信部と、
前記エネルギー値を所定の基準値と比較して放送サービスチャンネル状況を導出する制御部と、
前記制御部から導出された前記放送サービスチャンネル状況を示す表示部と
を具備することを特徴とする移動端末。
【請求項８】
前記モデム受信部は、
前記パイロット信号の前記パイロットシンボル区間と前記パイロットデータ区間とを検索する検索器と、
前記パイロット信号のエネルギー値を測定する信号レーキ受信器とを具備することを特徴とする請求項７記載の移動端末。
【請求項９】
前記モデム受信部における初期同期を合わせる処理は、
前記受信パイロット信号からパイロットシンボル及びパイロットデータの同期を合わせ、前記受信パイロット信号から前記サブフレームの同期を合わせ、前記受信パイロット信号から前記スーパーフレームの同期を合わせることを特徴とする請求項７記載の移動端末。
【請求項１０】
前記制御部は、
前記パイロットシンボル区間で測定されたエネルギー値Ｅｐを前記所定の基準値と比較して、前記比較された値に基づいて、前記放送サービスチャンネルの電界状況を導出することを特徴とする請求項９記載の移動端末。
【請求項１１】
前記制御部は、
前記パイロットシンボル区間で測定されたエネルギー値Ｅｐを前記所定の基準値と比較して、前記サブフレームの同期を合せる間に測定された複数のエネルギー値のうち、最大エネルギー値Ｅｍａｘと二番目に大きいエネルギー値Ｅｓｅｃとの差の値を所定の基準値と比較して、前記比較された値に基づいて、前記放送サービスチャンネルの電界状況を導出することを特徴とする請求項９記載の移動端末。
【請求項１２】
前記基準値は、
前記制御部のメモリに予め記憶されていることを特徴とする請求項７記載の移動端末。
【請求項１３】
前記放送サービスチャンネルの電界状況は、
サービス不可能状態又は所定の基準値と比較した段階別に表されることを特徴とする請求項７記載の移動端末。
【発明の詳細な説明】
【技術分野】
【０００１】
本発明は、移動通信システムにおける受信装置及び方法に関し、特に、ディジタルマルチメディアブロードキャスト（Digital Multimedia Broadcasting；ＤＭＢ）サービスを受信する装置及び方法に関する。
【背景技術】
【０００２】
通常、ディジタル放送とは、従来のアナログ放送の代わりに、高画質とＣＤレベルの高音質と、さらに高いサービスをユーザに提供するシステムを意味する。このようなディジタル放送は、現在地上波放送及び衛星放送のように２種類の形態に発展してきた。ここで、地上波放送とは、ユーザが地上中継器を介して放送サービスの受信を可能にするディジタル放送方式を意味する。一方、衛星放送とは、衛星を中継器として使用してディジタル放送を受信するディジタル放送方式を意味する。上記ディジタル放送のうち代表的のものには、ＤＭＢサービスがある。また、上記ＤＭＢサービスは、地上波ＤＭＢ及び衛星ＤＭＢのような２種類の方式に区分される。上記地上波ＤＭＢは、上述したように、地上中継器を介してユーザへ放送サービスを提供するＤＭＢ方式を意味する。
【０００３】
一方、衛星ＤＭＢは、地上中継器ではない衛星を使用して放送サービスを提供する。以下、図１を参照して、上記衛星ＤＭＢサービスについて詳細に説明する。図１を参照すると、衛星ＤＭＢ放送センター１００は、放送信号をＫｕ帯域（１２ＧＨｚ〜１３ＧＨｚ）を通して時分割多元化（Time Division Multiplex；ＴＤＭ）方式（参照符号１０２）及び符号分割多元化（Code Division Multiplex；ＣＤＭ）方式（参照符号１０４）へ伝送する。すると、ＤＭＢ衛星１０６は、上記放送信号を受信して上記受信された信号１０２、１０４をさらに地上受信端末１１６又は地上中継器に該当するギャップフィラー（Gap Filler）中継器１０８へ伝送する。
【０００４】
ＤＭＢ衛星１０６は、受信された放送信号をＳ−バンド帯域２〜３ＧＨｚのＣＤＭ信号１１２及びＫｕバンドのＴＤＭ信号１１０に変換して、地上へ送信する。ＤＭＢ衛星１０６は、ギャップフィラー中継器１０８へ放送信号を伝送する理由は、ＤＭＢ衛星１０６が送信する放送信号を地下のような陰影地域でも受信することができるようにするためである。ギャップフィラー中継器１０８は、上記放送信号を受信してＳ−バンドに変換して陰影地域にあるＤＭＢ端末にサービスを提供する。
【０００５】
上記ＤＭＢ端末機の種類には、主に家庭で利用できるＨｉＦｉタイプの端末機のような固定型（Fixed）専用端末機、車両用に利用される移動型（Mobile）専用端末機、ＰＤＡ（Personal Digital Assistant）のような携帯型（Portable）端末機、ノートブック、及び携帯電話などがある。
【０００６】
このようなＤＭＢ端末機は、ユーザ自身が所望するブロードキャストチャンネルを選択する際に、端末機のＤＭＢ放送の受信が可能であるか否かが分からないので、長時間待たされるという使用上の不便さがあった。また、ＤＭＢ端末機が陰影地域に位置する場合に、チャンネル状況がよくなくて、上記ＤＭＢ端末機がＤＭＢサービスを使用できない場合に、上記ＤＭＢ放送を受信するための動作を継続して遂行し、これによって、不必要な電力消費を引き起こす、という問題点があった。
【発明の開示】
【発明が解決しようとする課題】
【０００７】
上記背景に鑑みて、本発明の目的は、ディジタルマルチメディアブロードキャストシステムにおいて、ユーザに受信電界状況を示すための放送サービス受信装置及び方法を提供することにある。
【０００８】
本発明の他の目的は、ディジタルマルチメディアブロードキャストシステムにおいて、放送サービスを受信する際に電力消費を最小化できる受信装置及び方法を提供することにある。
【課題を解決するための手段】
【０００９】
上記のような目的を達成するために、本発明の第１の見地によると、スーパーフレームは、少なくとも２つのフレームで構成され、上記一つのフレームは、複数のサブフレームで構成され、上記一つのサブフレームは、パイロットシンボル区間とパイロットデータ区間とを有するように構成されたフレームをパイロット信号を通して伝送するディジタルマルチメディアブロードキャスト（ＤＭＢ）システムにおける移動端末が放送サービスを受信する方法であって、上記パイロット信号を受信する第１のステップと、初期同期動作で、上記パイロット信号の測定されたエネルギー値を所定の基準値と比較して、放送サービスチャンネルの電界状況を導出する第２のステップと、上記移動端末の表示部に上記電界状況を示す第３のステップとを具備することを特徴とする。
【００１０】
上記初期同期動作は、上記受信されたパイロット信号からパイロットシンボルとパイロットデータとの同期を合せるステップと、上記受信されたパイロット信号から上記サブフレームの同期を合せるステップと、上記受信されたパイロット信号から上記スーパーフレームの同期を合せるステップとを具備することを特徴とする。
【００１１】
上記パイロット信号のエネルギー値を比較するステップは、上記パイロットシンボル区間で測定されたエネルギー値Ｅｐを所定の基準値と比較するステップと、上記サブフレームの同期を合せる間に測定された複数のエネルギー値のうち、最大エネルギー値Ｅｍａｘと二番目に大きいエネルギー値Ｅｓｅｃとの差の値を所定の基準値と比較するステップと、上記比較された値に基づいて、放送サービスチャンネルの電界状況を導出するステップとを具備することを特徴とする。
【００１２】
上記電界状況は、サービス不可能状態又は所定のステップ別に表されることを特徴とする。
【００１３】
本発明の第２の見地によると、スーパーフレームは、少なくとも２つのフレームで構成され、上記一つのフレームは、複数のサブフレームで構成され、上記一つのサブフレームは、パイロットシンボル区間とパイロットデータ区間とを有するように構成されたフレームをパイロット信号を通して基地局が伝送するディジタルマルチメディアブロードキャスト（ＤＭＢ）システムにおける移動端末であって、上記基地局から伝送された無線周波数信号を受信する無線周波数（ＲＦ）受信部と、上記パイロット信号のエネルギー値を測定して初期同期を合せるモデム受信部と、上記エネルギー値を所定の基準値と比較して放送サービスチャンネル状況を導出する制御部と、上記制御部から導出された上記放送サービスチャンネル状況を示す表示部とを具備することを特徴とする。
【００１４】
上記モデム受信部は、上記パイロット信号の上記パイロットシンボル区間と上記パイロットデータ区間とを検索する検索器と、上記パイロット信号のエネルギー値を測定する信号レーキ受信器とを具備することを特徴とする。
【００１５】
上記初期同期を合わせるステップは、上記受信されたパイロット信号からパイロットシンボル及びパイロットデータの同期を合わせるステップと、上記受信されたパイロット信号から上記サブフレームの同期を合わせるステップと、上記受信されたパイロット信号から上記スーパーフレームの同期を合わせるステップとを具備することを特徴とする。
【００１６】
上記制御部は、上記パイロットシンボル区間で測定されたエネルギー値Ｅｐを上記所定の基準値と比較して、上記サブフレームの同期を合せる間に測定された複数のエネルギー値のうち、最大エネルギー値Ｅｍａｘと二番目に大きいエネルギー値Ｅｓｅｃとの差の値を所定の基準値と比較して、上記比較された値に基づいて、上記放送サービスチャンネルの電界状況を導出することを特徴とする。
【発明の効果】
【００１７】
本発明の実施形態によると、ＤＭＢシステムの移動端末が現在の電界状況を確認して不必要な動作を最小化することによって電力消費を節減できる。また、簡素な初期同期のみを使用して現在の電界状況をユーザに通知し、これによって、チャンネル状況が好ましくない環境できれいではない放送を見せられる不便さを最小化できる。
【発明を実施するための最良の形態】
【００１８】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００１９】
図２は、本発明の好ましい実施形態によるＤＭＢ端末の構成を示すブロック図である。図２を参照すると、ＤＭＢ端末は、ＤＭＢ衛星又はギャップフィラーを介して地上中継器として伝送された信号を受信するＲＦ受信部２１０と、ＲＦ受信部２１０の受信信号から各フレームのエネルギー値を測定するモデム受信部２３０と、上記測定されたエネルギー値を確認して端末の初期同期過程を制御する制御部２５０と、制御部２５０から出力されるサービスチャンネルの受信が可能であるか否かを示すガイド情報を視覚的に表示する表示部２７０とを含む。上記案内情報は、予め定められた基準値と比較してサービス不可能状態又は所定のステップ別に示す。
【００２０】
以下、本発明の理解を助けるために、ＤＭＢサービスでのパイロットチャンネル構成をまず説明した後に、本発明によるＤＭＢ端末機の構成をさらに詳細に説明する。
【００２１】
図３は、一般的なＤＭＢサービスにおいてパイロットチャンネルを介して伝送されるスーパーフレームの構成を示す。図３を参照すると、スーパーフレーム３１０は、６つのフレーム３１１乃至３２１で構成され、フレーム３１１乃至３２１の各々は、５１個のサブフレーム３５０で構成され、サブフレーム３５０の各々は、パイロットシンボル（Pilot symbol；ＰＳ）区間とパイロットデータ（Pilot Data；ＰＤ）区間とから構成される。従って、パイロット信号は、パイロットシンボルとパイロットデータとを含む。
【００２２】
そして、上記サブフレームは、２５０μｓのフレームサイクルを有する。また、一つのフレーム３３０が５１個のサブフレームで構成されるので、１２．７５０ｍｓのフレームサイクルを有する。従って、６つのフレーム３１１乃至３２１で構成されたスーパーフレーム３１０は、７６．５ｍｓのフレームサイクルを有する。
【００２３】
上記パイロット信号のうち、上記パイロットシンボルは、上記サブフレームの同期情報を含み、上記パイロットデータは、各フレーム３３０及びスーパーフレーム３１０の同期情報だけでなく、誤り訂正符号と、ブロードキャストチャンネルのデコーディングのための放送情報とを含んでいる。
【００２４】
一方、図２の制御部２５０は、モデム受信部２３０で測定されたエネルギー値を使用してシステムの初期同期を遂行する。上記初期同期を合せる過程は、パイロットシンボル検出（Pilot Symbol Detection）過程とユニークワード検出（Unique Word Detection）過程とフレームカウント検出（Frame Count Detection）過程とから構成される。サブフレーム３５０を同期するためのパイロットシンボル検出過程は、各パイロットシンボル区間３３１、３３５…及びパイロットデータ区間３３３、３３７…のエネルギー値を測定することによってなされる。そして、各フレーム３３０を同期するためのユニークワード検出過程は、上記パイロット信号の第１のパイロットデータ区間（Ｄ１）３３３を検出することによってなされる。また、上記フレームカウント検出過程において、スーパーフレーム３１０の同期は、上記パイロット信号の第２のパイロットデータ区間（Ｄ２）３３７を検出することによってなされる。以下、このような初期同期検出過程及び端末の電界状況を示す方法について、図４を参照してさらに詳細に説明する。
【００２５】
図４は、図２に示したモデム受信部２３０の内部の構成を示すブロック図である。下記の説明において、図３及び図４を参照して、受信パイロット信号を使用する初期同期検出過程について説明する。
【００２６】
図４を参照すると、モデム受信部２３０は、パイロット信号のパイロットシンボル区間とパイロットデータ区間とを検出する動作を遂行する検索器（Searcher）２３１と、パイロット信号のフレーム同期を合せるためのエネルギー値を測定して累積するレーキ受信器２３３とを内部に含んでいる。
【００２７】
まず、パイロット信号を受信しているレーキ受信器（Rake Receiver）２３３は、各サブフレーム３５０、３５１、…でパイロットシンボル区間とパイロットデータ区間とを確認する。パイロットシンボル区間３３１、３３５、…及びパイロットデータ区間３３３、３３７…は、同一の長さを有するように構成されている。パイロットシンボル区間は、一つの数字でコーディングされ、上記パイロットデータ区間は、‘０’及び‘１’で混合された数字でコーディングされている。従って、レーキ受信器２３３は、各区間別エネルギーを累積して制御部２５０にそのエネルギー値を伝達する。その結果、制御部２５０は、２つのエネルギー値のうち大きい値をパイロットシンボルエネルギー値Ｅｐとして認識し、小さい値をパイロットデータエネルギー値Ｅｄとして認識する。そして、制御部２５０は、サブフレーム３５０の同期が正確であるかを確認するために、上記Ｅｐ値がＥｄ値より大きく、上記Ｅｐ値とＥｄ値との差が予め定められた基準値（Threshold）より大きいかどうかを確認する。そのような条件が満足されると、制御部２５０は、パイロットシンボル検出動作が完了したものと把握し、次のステップであるユニークワード検出過程を進行する。しかしながら、上記条件が満足されないと、制御部２５０は、予め定められた制限時間の間に上述したような過程を反復する。上記過程を反復した後にも、上記条件が満足されないと、制御部２５０は、表示部２７０に‘サービス受信の不可能’を示すメッセージを表示する。
【００２８】
上記ユニークワード検出過程において、レーキ受信器２３３がすでに知っているユニークワードパターン（Unique Word Pattern）値と上記パイロットデータ間の相関度に該当するエネルギー値とは、少なくとも一つのフレーム区間で測定される。その後、レーキ受信器２３３は、上記測定された各パイロットデータの相関度のうちもっとも大きい４つの値を選択して制御部２５０へ伝達する。すると、制御部２５０は、レーキ受信器２３３から伝達された相関度のうち、もっとも大きいエネルギー値Ｅｍａｘが予め定められた基準値よりも大きいかどうかを確認して、もっとも大きいエネルギー値Ｅｍａｘと二番目に大きいエネルギー値Ｅｓｅｃとの差の値が予め定められた基準値より大きいかどうかを確認する。このような条件が満足されると、制御部２５０は、ユニークワードを検出したと判断して、フレーム間の同期が正しいと判断する。しかしながら、上記条件が満足されないと、制御部は、上記パイロットシンボル検出動作と同様に、上記差の値が基準値を満足しないと、同一の過程を所定の時間の間反復する。上記反復の後にも、上記条件が満足されないと、制御部２５０は、表示部２７０に‘サービス受信の不可能’を示すメッセージを表示する。
【００２９】
上記フレームカウント過程において、フレームカウント値が送信されてパイロットデータの一部であるＤ２３３７へ入力され、上記送信されたフレームカウント値が読み出されて制御部２５０へ通知される。
【００３０】
上記フレームカウント値を読み出すにあたって、Ｄ２３３７は、総３２ビットで構成されており、‘−１’又は‘１’でコーディングされた４ビットのフレームカウント値は、８回反復して入力される。フレームカウント検出器は、４ビットのそれぞれのビットのエネルギー値を累積し、各ビットのもっとも大きい値を‘１’と見なし、上記フレームカウント値を検出する。例えば、上記フレームカウント値が‘２’である場合に、‘-１-１１-１’としてのＤ２３３７の値が８回反復される。従って、上記フレームカウント過程でエネルギー値を累積することによって、上記フレームカウント検出器は、‘２’を検出することができ、検出されたフレームカウント値は、制御部２５０へ提供される。
【００３１】
すべての初期同期過程が完了すると、制御部２５０は、各初期同期動作別に測定されたエネルギー値を現在のチャンネル状態に対する基準値と比較して、ユーザが現在のチャンネル電界状況を認識できるように表示部２７０に表示する。上記現在の電界状況は、‘放送受信可能又は不可能’で示されることもでき、上記基準値と比較して所定のステップ別状態で示されることもできる。
【００３２】
図４及び図５を参照して、本発明の好ましい実施形態によるディジタルマルチメディアブロードキャスト（ＤＭＢ）サービスを受信する方法について説明する。
【００３３】
図５は、本発明の好ましい実施形態によるＤＭＢサービスを受信する方法に対するフローチャートである。
【００３４】
図５を参照すると、ＲＦ受信部２１０から受信されたパイロット信号は、モデム受信部２３０へ入力されると、ステップＳ５０１で、パイロットシンボル検出動作を進行する。まず、モデム受信部２３０の検索器２３１は、それぞれのパイロットシンボル区間のエネルギー値Ｅｐとパイロットデータ区間のエネルギー値Ｅｄとを測定して累積する。ステップＳ５０３で、上記エネルギー値を受信した制御部２５０は、Ｅｐ値がＥｄ値より大きく、Ｅｐ値とＥｄ値との差の値が予め定められた基準値より大きいかどうかを検査する。このような条件が満足されると、制御部２５０は、サブフレームの同期を合せて、ステップＳ５０７へ進行する。しかしながら、上記条件が満足されないと、制御部２５０は、ステップＳ５０５で、所定の制限時間が経過したかどうかを確認する。上記制限時間が経過しない場合には、上記パイロットシンボル検出過程を反復して遂行する。しかしながら、上記制限時間が超過すると、制御部２５０は、ステップＳ５１５へ進行して、ＤＭＢ端末の表示部に‘サービス不可能’を示すメッセージを表示する。
【００３５】
上記パイロット検出動作過程において、現在の電界状況は、上記パイロットシンボル区間で累積されたエネルギー値をもって確認されることができる。すなわち、上述したように、現在の受信パイロットシンボル区間のエネルギーは、上記パイロットシンボルのエネルギーを累積する。このように累積されて測定されたエネルギー値は、電界状況によって変わる。すなわち、上記電界状況が良いと、大きいエネルギー値が導出され、上記電界状況が良くないと、小さいエネルギー値が導出される。従って、上記エネルギー値を用いて現在の電界状況を確認することができる。そして、上記エネルギー値は、制御部２５０にテーブルフォーマットで貯蔵され、ＤＭＢ端末の表示部に現在の電界状況に該当するメッセージ又はガイド情報として表示される。
【００３６】
上記パイロット検出動作が完了すると、ステップＳ５０７で、ユニークワード検出動作を遂行する。レーキ受信器２３３は、予め知られているユニークワードパターン値と上記パイロットデータ間の相関度に該当するエネルギー値とを少なくとも一つのフレーム区間３３０で測定する。その後、ステップＳ５０９で、制御部２５０は、上記エネルギー値のうち、もっとも大きい値Ｅｍａｘと二番目に大きい値Ｅｓｅｃとを探し出して、上記Ｅｍａｘ値とＥｓｅｃ値との差の値を予め定められた基準値と比較する。
【００３７】
上記差の値が基準値を超過すると、制御部２５０は、Ｅｍａｘ値からフレーム３３０の同期を合せて、ステップＳ５１３へ進行する。しかしながら、上記差の値が上記基準値を超過しないと、ステップＳ５１１で、制御部２５０は、上記ユニークワード検出時間が所定の制限時間を経過したかどうかを確認する。上記制限時間が経過しない場合には、上記ユニークワード検出動作を反復して遂行する。これとは反対に、上記制限時間を超過する場合には、制御部２５０は、ステップＳ５１５へ進行して、ＤＭＢ端末の表示部に‘サービス不可能’を示すメッセージを表示する。
【００３８】
上記ユニークワード検出動作において、受信器が知っている一定のパターン及びＤ１３３３との相関関係を用いて、Ｅｍａｘ値を測定するので、Ｅｍａｘ値は、現在の電界状況を示すことができる。Ｅｍａｘ値が基準値を通過すると、Ｅｓｅｃ値を確認して、Ｅｓｅｃ値も基準値を通過したか否かを確認することができる。Ｅｓｅｃ値も基準値を通過すると、これは、上記ユニークワード検出動作が適切に遂行されないことを意味し、上記電界状況がそれほどよくないことを示す。しかしながら、Ｅｓｅｃ値が基準値を通過しないと、Ｅｍａｘ値とＥｓｅｃ値との差を用いて現在の電界状況を確認することができる。すなわち、Ｅｍａｘ値がＥｓｅｃ値よりも一層大きい場合に、これは、上記現在の電界状況が良いことを意味する。制御部２５０は、Ｅｍａｘ値とＥｓｅｃ値との差の値をテーブルフォーマットで有しており、上記ユニークワード検出動作で検出されるＥｍａｘ値とＥｓｅｃ値とを上記テーブルと比較して、現在の電界状況をＤＭＢ端末の表示部に表示する。
【００３９】
上記ユニークワード検出動作において、フレーム３３０の同期を合せると、ステップＳ５０９で、制御部２５０は、第２のパイロットデータ（Ｄ２）のデータ値を読み出すことによって、スーパーフレーム３１０の同期を合せる。
【００４０】
上述したような過程を用いて、上記初期同期動作時に測定されたエネルギー値を所定のステップ別に定められた基準値と比較して、ユーザが現在の電界状況を認識できるように、ＤＭＢ端末の表示部に上記現在の電界状況を表示する。その後に、ステップＳ５１７で、ＤＭＢ端末は、ユーザがいかなる選択を決定する前までは、すべての動作を止めて待機する。
【００４１】
ここで、上記現在の電界状況を示す方法には、多様な方法がある。上記パイロットシンボル検出過程で測定されたエネルギー値で上記電界状況を示すことができ、又は、上記パイロットシンボル検出過程及び上記ユニークワード検出過程の各々で測定されたエネルギー値を総合的に考慮することによって、上記電界状況を示すこともできる。
【００４２】
本発明において、ユーザがＤＭＢ端末の放送受信状態を認識することができるだけでなく、ＤＭＢ端末が初期同期過程で電界状況がよくない際に、ユーザがいかなる命令を下す前には、次の過程を進行しないので、電力消費を最小にすることができる。
【００４３】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００４４】
【図１】ＤＭＢシステムの網構成を示す概略図である。
【図２】本発明の好ましい実施形態によるＤＭＢ端末の構成を示すブロック図である。
【図３】ＤＭＢシステムのパイロットチャンネル構成を示す概略図である。
【図４】本発明の好ましい実施形態によるモデム受信部の内部の構成を示すブロック図である。
【図５】本発明の好ましい実施形態によるＤＭＢサービスを受信する方法に対するフローチャートである。
【符号の説明】
【００４５】
２１０  ＲＦ受信部
２３０  モデム受信部
２３１  探索器
２３３  レーキ受信器
２５０  制御部
２７０  表示部
【図１】
2008507232.tif 000003
【図２】
2008507232.tif 000004
【図３】
2008507232.tif 000005
【図４】
2008507232.tif 000006
【図５】
2008507232.tif 000007
【国際調査報告】
2008507232.tif 000008
2008507232.tif 000009
2008507232.tif 000010